(57)【特許請求の範囲】
【請求項１】
双方向に通電可能なスイッチング素子と前記スイッチング素子に並列に接続されたダイオードとを有する複数の変換回路と、
前記複数の変換回路に流れる電流を検出する電流検出手段と、
前記スイッチング素子のオン及びオフを制御し、直流電力を交流電力に変換する制御手段とを備え、
前記複数の変換回路は、各相で直列に接続され、
前記制御手段は、
ハイサイドの前記スイッチング素子とローサイドの前記スイッチング素子とを共にオフにするデッドタイム中に、前記電流検出手段により、前記複数の変換回路内を流れる転流電流を検出し、
前記複数の変換回路のうち、一の変換回路に流れる前記転流電流が閾値電流より小さい場合には、転流期間中に前記一の変換回路のスイッチング素子をオンにし、前記一の変換回路のダイオードの順方向及び前記一の変換回路のスイッチング素子の逆方向に通電させ、
前記一の変換回路に流れる前記転流電流が前記閾値電流より大きい場合には、転流期間中に前記一の変換回路のスイッチング素子をオフにし、前記一の変換回路のダイオードの順方向に通電させる
ことを特徴とする電力変換装置。
【請求項２】
前記変換回路の温度を検出する温度検出手段をさらに備え、
前記制御手段は、前記温度検出手段の検出温度に応じて、前記閾値電流を設定する
ことを特徴とする請求項１記載の電力変換装置。
【請求項３】
前記制御手段は、前記スイッチング素子における電圧に対する逆方向電流の特性と、前記ダイオードにおける電圧に対する順方向電流の特性との交点に相当する電流を前記閾値電流に設定する
ことを特徴とする請求項１又は２記載の電力変換装置。
【請求項４】
前記制御手段は、前記スイッチング素子における損失に対する逆方向電流の特性と、前記ダイオードにおける損失に対する順方向電流の特定との交点に相当する電流を前記閾値電流に設定する
ことを特徴とする請求項１又は２記載の電力変換装置。
【請求項５】
前記制御手段は、
前記検出温度が所定の基準温度より高い場合には、前記閾値電流を所定の基準電流より小さくすることを特徴とする
請求項２記載の電力変換装置。
【請求項６】
前記検出温度と前記閾値電流とを対応づけて記憶する記憶手段をさらに備える
ことを特徴とする請求項２または５記載の電力変換装置。
【請求項７】
少なくとも前記スイッチング素子又は前記ダイオードは、ワイドバンドギャップ半導体で形成される
ことを特徴とする請求項１〜６のいずれか一項に記載の電力変換装置。
【請求項８】
双方向に通電可能なスイッチング素子と前記スイッチング素子に並列に接続されたダイオードとを有する複数の変換回路を制御することにより、直流電力を交流電力に変換する電力変換方法において、
前記複数の変換回路に接続された電流検出手段を用いて、デッドタイム中に前記複数の変換回路内を流れる転流電流を検出する工程と、
前記複数の変換回路のうち、一の変換回路に流れる前記転流電流が閾値電流より小さい場合には、転流期間中に前記一の変換回路のスイッチング素子をオンにし、前記一の変換回路のダイオードの順方向及び前記一の変換回路のスイッチング素子の逆方向に通電させる工程と、
前記一の変換回路に流れる前記転流電流が前記閾値電流より大きい場合には、前記一の変換回路のスイッチング素子をオフにし、前記一の変換回路のダイオードの順方向に通電させる工程とを含み、
前記複数の変換回路は各相で直列に接続され、
前記デッドタイムはハイサイドの前記スイッチング素子とローサイドの前記スイッチング素子とを共にオフにする期間である
ことを特徴とする電力変換方法。
【発明の詳細な説明】
【技術分野】
【０００１】
本発明は、電力変換装置及び電力変換方法に関するものである。
【背景技術】
【０００２】
双方向に通電可能なスイッチング素子及び当該スイッチング素子と並列に接続されたダイオードからなる電力変換回路を備え、ダイオードの通電期間中に当該スイッチング素子を当該ダイオードと同一の方向に通電させるようにする電力変換制御装置が知られている。
【先行技術文献】
【特許文献】
【０００３】
【特許文献１】特開２００３−３３６９５３号公報
【発明の概要】
【発明が解決しようとする課題】
【０００４】
しかしながら、従来の電力変換制御装置では、大電流領域において、ダイオードを流れていた電流がスイッチング素子側に十分に流れないにもかからず、当該スイッチング素子をオン状態にしてしまうため、損失が大きくなってしまうという問題があった。
【０００５】
本発明が解決しようとする課題は、損失を抑制することができる電力制御装置及び電力変換方法を提供することである。
【課題を解決するための手段】
【０００６】
本発明は、変換回路に流れる電流が閾値電流より小さい場合にはスイッチング素子をオンにし、変換回路に流れる電流が閾値電流より大きい場合にはスイッチング素子をオフにすることによって上記課題を解決する。
【発明の効果】
【０００７】
本発明によれば、ダイオードに流れていた電流を十分にスイッチング素子の逆方向に流すことができない、高電流領域において、スイッチング素子をオフの状態にするため、当該高電流領域におけるスイッチング素子の損失を抑制することができる、という効果を奏する。
【図面の簡単な説明】
【０００８】
【図１】本発明の実施形態に係る三相インバータ装置のブロック図である。
【図２】図１のパワー半導体モジュールの回路図である。
【図３】図１のスイッチング素子における、ドレイン電圧（プラス）に対するドレイン電流（プラス）の特性を示すグラフである。
【図４】図１のスイッチング素子における、ドレイン電圧（マイナス）に対するドレイン電流（マイナス）の特性を示すグラフである。
【図５】図１の三相インバータ装置の各相に流れる、各相の電流の時間特性を示すグラフである。
【図６】図５の期間ｔ１における、図１のスイッチング素子Ｑ１に流れる電流の向きを説明する回路図である。
【図７】図５の期間ｔ２における、図１のスイッチング素子Ｑ１に流れる電流の向きを説明する回路図である。
【図８】図１のスイッチング素子及びダイオードにおける、電圧に対する電流特性を示すグラフである。
【図９】図１のスイッチング素子及びダイオードにおける、電圧に対する電流特性を示すグラフである。
【図１０ａ】図１のスイッチング素子及びダイオードに流れる電流の時間特性を示すグラフである。
【図１０ｂ】図１のスイッチング素子及びダイオードに流れる電流の時間特性を示すグラフである。
【図１１】本発明の他の実施形態に係る電力変換装置において、スイッチング素子及びダイオードの損失に対する電流特性をそれぞれ示すグラフである。
【発明を実施するための形態】
【０００９】
以下、本発明の実施形態を図面に基づいて説明する。
【００１０】
《第１実施形態》
図１は、本発明の実施形態に係る電力変換装置を含む電気自動車用の三相インバータ装置を示すブロック図である。詳細な図示は省略するが、本例の電気自動車は、三相交流電力の永久磁石モータ１０３を走行駆動源として走行する車両であり、モータ１０３は電気自動車の車軸に結合されている。以下、電気自動車を例に説明するが、ハイブリッド自動車（ＨＥＶ）にも本発明を適用可能である。
【００１１】
本例の三相インバータ装置は、上述した三相交流モータ１０３と、モータ１０３の電源である、バッテリ１０１と、当該バッテリ１０１の直流電力を交流電力に変換するインバータ１１１と、電子制御ユニット（ＥＣＵ）１０７を備える。
【００１２】
バッテリ１０１は、直流電源であって、インバータ１１１に接続されている。バッテリ１０１には、例えばリチウムイオン電池などの二次電池が搭載されている。バッテリ１０１とインバータ１１１との間には、図示しないリレーが接続されており、当該リレーは車両のキースイッチ（図示しない）のＯＮ／ＯＦＦ操作に連動して、ＥＣＵ１０７より開閉駆動される。なお、モータ１０３は発電機としても作用し、モータ１０３により発電された交流電力は、インバータ１１１により直流に変換され、バッテリ１０１を充電する。
【００１３】
インバータ１１１は、複数のスイッチング素子Ｑ１〜Ｑ６と、各スイッチング素子Ｑ１〜Ｑ６に並列に接続され、スイッチング素子Ｑ１〜Ｑ６の順方向の電流方向とは逆方向に電流が流れる整流素子（ダイオード）Ｄ１〜Ｄ６を有し、バッテリ１０１の直流電力を交流電力に変換して、モータ１０３に供給する。各スイッチング素子Ｑ１〜Ｑ６は、双方向に通電可能なスイッチング素子である。本例では、２つのスイッチング素子Ｑ１〜Ｑ６を直列に接続した３対の回路が、電源線Ｐ及び電源線Ｎとの間に接続されることにより、バッテリ１０１に並列に接続され、各対のスイッチング素子間とモータ４の三相入力部とがそれぞれ電気的に接続されている。各スイッチング素子Ｑ１〜Ｑ６には、例えば、絶縁ゲートパイポーラトランジスタ（ＩＧＢＴ）、または、ＭＯＳＦＥＴが用いられる。各ダイオードＤ１〜Ｄ６には、例えばＦＲＤ（Ｆａｓｔ  Ｒｅｃｏｖｅｒｙ  Ｄｉｏｄｅ）が用いられる。
【００１４】
またスイッチング素子Ｑ１〜Ｑ６及びダイオードＤ１〜Ｄ６は、それぞれパワー半導体モジュール１０４に搭載されており、例えばスイッチング素子Ｑ１及びダイオードＤ１がパワー半導体モジュール１０４１に搭載され、スイッチング素子Ｑ２及びダイオードＤ２がパワー半導体モジュール１０４２に搭載されている。
【００１５】
図１に示す例でいえば、スイッチング素子Ｑ１とＱ２、スイッチング素子Ｑ３とＱ４、スイッチング素子Ｑ５とＱ６がそれぞれ直列に接続され、スイッチング素子Ｑ１とＱ２の間とモータ４のＵ相、スイッチング素子Ｑ３とＱ４の間とモータ４のＶ相、スイッチング素子Ｑ５とＱ６の間とモータ４のＷ相がそれぞれ接続されている。各スイッチング素子Ｑ１〜Ｑ６は、制御回路１０８により制御され、高周波でスイッチングされる。
【００１６】
次に、図２を用いて、パワー半導体モジュール１０４１の詳細な構成を説明する。図２は、パワー半導体モジュール１０４１の回路図を示す。なお、パワー半導体モジュール１０４２〜１０４６の回路図は、パワー半導体モジュール１０４１と同様であるため、説明を省略する。
【００１７】
スイッチング素子Ｑ１としてミラー端子付きのＭＯＳＦＥＴ２０１が、スイッチング素子Ｑ１の温度を検出するダイオード２０２と共に、同一のチップに搭載されている。ＭＯＳＦＥＴ２０１のドレイン端子ＤはダイオードＤ１のカソード端子Ｋに接続され、ＭＯＳＦＥＴ２０１のソース端子ＳはダイオードＤ１のアノード端子Ａに接続されている。ＭＯＳＦＥＴ２０１のゲート端子には、駆動回路１０９から送信されるゲート信号が入力され、当該信号に基づき、ＭＯＳＦＥＴ２０１のスイッチング動作が行われる。
【００１８】
ＭＯＳＦＥＴ２０１には、製造工程上、寄生ダイオードが形成される。当該寄生ダイオードの向き、すなわち当該寄生ダイオードにおいて、電流が導通する向きは、ＭＯＳＦＥＴ２０１のソース端子Ｓからドレイン端子Ｄへ流れる逆方向電流と同じ向きであり、ダイオードＤ１の順方向と同じ向きである。
【００１９】
ＭＯＳＦＥＴ２０１のセルのソース端子の一部は、ソース端子Ｓとは別のソースセンス端子ＳＳとして取り出されている。ソースセンス端子ＳＳに流れる電流と、ソース端子Ｓに流れる電流との間には、相対的な関係があり、ソースセンス端子ＳＳの電流をモニタリングすることで、ソース端子Ｓに流れる電流が推定される。ソースセンス端子ＳＳは、駆動回路１０９に接続されている。
【００２０】
駆動回路１０９は、ダイオード２０２のアノード端子Ａｍとカソード端子Ｋｍとの間に定電流を流す。そして、アノード端子Ａｍとカソード端子Ｋｍとの間の端子間電圧と温度から、チップ温度が推定される。ＭＯＳＦＥＴ２０１とダイオード２０２は、同一のチップに組み込まれるため、ダイオード２０２により推定されたチップ温度が、ＭＯＳＦＥＴ２０１の温度に相当する。
【００２１】
また、ダイオードＤ１としてダイオード２０３が、ダイオードＤ１の温度を検出するダイオード２０４と共に、同一のチップに搭載されている。駆動回路１０９は、ダイオード２０４のアノード端子Ａｄとカソード端子Ｋｄとの間に定電流を流す。そして、アノード端子Ａｄとカソード端子Ｋｄとの間の端子間電圧と温度から、チップ温度が推定される。ダイオード２０３とダイオード２０４は、同一のチップに組み込まれるため、ダイオード２０４により推定されたチップ温度が、ダイオード２０３の温度に相当する。
【００２２】
次に、図３及び図４を用いて、ＭＯＳＦＥＴ２０１のドレイン電圧に対するドレイン電流の特性について説明する。図３はプラスのドレイン電圧に対するプラスのドレイン電流の特性を、図４はマイナスのドレイン電圧に対するマイナスのドレイン電流の特性を示す。なお、プラスのドレイン電圧とはドレイン端子Ｄの電圧がソース端子Ｓの電圧より高い場合の電圧を示し、マイナスのドレイン電圧はソース端子Ｓの電圧がドレイン端子Ｄの電圧より高い場合の電圧を示す。プラスのドレイン電流はドレイン端子Ｄからソース端子Ｓに流れる順方向電流を示し、マイナスのドレイン電流はソース端子Ｓからドレイン端子Ｄへ流れる逆方向電流を示す。
【００２３】
本例において、ＭＯＳＦＥＴ２０１はＮチャネルパワーＭＯＳＦＥＴを用いているため、ＭＯＳＦＥＴ２０１は図３及び図４に示すような特性をもっている。ゲートがオンされている場合には、ドレイン端子Ｄとソース端子Ｓとの間に加わる電圧に応じて順方向電流及び逆方向電流がそれぞれ流れる。一方、ゲートがオフされている場合には、順方向電流については、ドレイン耐圧以上のドレイン電圧が加わるとドレイン電流が流れ出し、逆方向電流については、ＭＯＳＦＥＴ２０１の寄生ダイオードにより電流が流れ出す。すなわち、ＭＯＳＦＥＴ２０１は双方向に通電可能なスイッチング素子である。
【００２４】
図１に戻り、インバータ１１１は、各スイッチング素子Ｑ１〜Ｑ６及び各ダイオードＤ１〜Ｄ６の他に、整流用の平滑コンデンサ１０２と、制御回路１０８と、駆動回路１０９と、電流センサ１１０とを有する。平滑コンデンサ１０２は、電源線Ｐと電源線Ｎに接続され、バッテリ１０１と各スイッチング素子Ｑ１〜Ｑ６との間に接続される。
【００２５】
各駆動回路１０９は、スイッチング素子Ｑ１〜Ｑ６をそれぞれ制御し、制御回路１０８からの制御信号により動作する。制御回路１０８は、各駆動回路１０９を介して、例えばＰＷＭ（Ｐｕｌｓｅ  Ｗｉｄｔｈ  Ｍｏｄｕｌａｔｉｏｎ）変調のための制御信号を、各スイッチング素子Ｄ１〜Ｄ６に入力する。制御回路１０８は、ＥＣＵ１０７からのトルク指令値に基づき、各スイッチング素子Ｑ１〜Ｑ６のスイッチングの信号を生成し、制御信号として各駆動回路１０９に送信する。
【００２６】
また制御回路１０８には、転流期間において、スイッチング素子Ｑ１〜Ｑ６をオン及びオフを動作させるための基準となる閾値を記憶したメモリ１１２が設けられている。メモリ１１２は不揮発性の記憶媒体である。なお、当該閾値については後述する。
【００２７】
ＥＣＵ１０７は、本例の電気自動車を全体的に制御する部分であり、例えばモータ４の回転トルクや、変速機（図示しない）の変速比などを制御する。ＥＣＵ１０７は、図示しないアクセルの開度等に基づき、モータ１０３の出力を算出する。そしてＥＥＣＵ１０７は、算出されたモータ１０３の出力値を出力させるための指令値を制御回路１０８に送信する。
【００２８】
電流センサ１１０は、各スイッチング素子Ｑ１〜Ｑ６とモータ１０３との間の各相の電流を検出するセンサであって、スイッチング素子Ｑ１とＱ２との中間点、スイッチング素子Ｑ３とＱ４との中間点及びスイッチング素子Ｑ５とＱ６との中間点と、モータ１０３の各相との間に接続される。電流センサ１１０は、インバータ１１１により交流に変換された電流、及びモータ１０３からインバータ１１１への転流電流を検出する。
【００２９】
次に、Ｕ、Ｖ、Ｗ相に流れる交流電流と各スイッチング素子Ｑ１〜Ｑ６に流れる電流について、図５〜図７を用いて説明する。図５は時間に対する各相に流れる交流電流の特性を示す。ただし、電流がインバータ１１１からモータ１０３へ流れる方向を正とする。図６は、期間ｔ１における、スイッチング素子Ｑ１及びＱ２に流れる電流の向きを説明するための回路図である。図７は、期間ｔ２における、スイッチング素子Ｑ１及びＱ２に流れる電流の向きを説明するための回路図である。
【００３０】
各スイッチング素子Ｑ１〜Ｑ６が、対応する駆動回路１０９に基づいてオン及びオフ制御され、スイッチング動作することにより図５に示す、三相交流波形の電流が形成される。三相交流は、Ｕ相、Ｖ相及びＷ相のそれぞれに流れる電流波形の位相を１２０度ずらした波形の状態で、各相を流れている。
【００３１】
図６に示すように、図５の期間ｔ１において、電源線Ｐからスイッチング素子Ｑ１を含む上アームを通りＵ相に向かって流れる電流（Ｉ１）と、電源線Ｎからスイッチング素子Ｑ２を含む下アームを通りＵ相に向かって流れる電流（Ｉ２）とが、交互に繰り返して、インバータ１１１の内部を流れる。また、図５の期間ｔ２において、Ｕ相からスイッチング素子Ｑ１を含む上アームを通り電源線Ｐに向かって流れる電流（Ｉ３）と、Ｕ相からスイッチング素子Ｑ２を含む下アームを通り電源線Ｎに向かって流れる電流（Ｉ４）とが、交互に繰り返して、インバータ１１１の内部を流れる。なお、スイッチング素子Ｑ１及びスイッチング素子Ｑ２とＵ相との間の電流を説明したが、他のスイッチング素子Ｑ３〜Ｑ６とＶ相及びＷ相と間の電流も、同様に流れるため、説明を省略する。
【００３２】
ここで、各スイッチング素子Ｑ１〜Ｑ６のオン及びオフの制御を行い、インバータ１１１の内部に三相交流電流を流す場合に、各スイッチング素子Ｑ１〜Ｑ６の逆方向又はダイオードＤ１〜Ｄ６の順方向に向かって流れる電流を転流電流と称し、当該転流電流が流れる期間を転流期間と称す。図６及び図７において、転流電流は電流（Ｉ２）及び電流（Ｉ３）に相当し、電流（Ｉ２）及び電流（Ｉ４）が流れる期間が、転流期間に相当する。
【００３３】
次に、図８を用いて、オン状態のスイッチング素子Ｑ１〜Ｑ６の逆方向電流特性及びダイオードＤ１〜Ｄ６の順方向電流特性を説明する。図８は、電圧に対するスイッチング素子Ｑ１〜Ｑ６の逆方向の電流特性及び電圧に対するダイオードＤ１〜Ｄ６の順方向の電流特性を示す。マイナスのドレイン電圧は、カソード端子に対してプラスのアノード端子と等価であるため、図８の横軸の電圧表示は、マイナスのドレイン電圧とプラスのアノード電圧を共通させて示している。
【００３４】
図８に示すように、スイッチング素子Ｑ１〜Ｑ６の逆方向に流れる電流の大きさと、ダイオードＤ１〜Ｄ６の順方向に流れる電流の大きさとの大小関係が、スイッチング素子Ｑ１〜Ｑ６の電流特性とダイオードＤ１〜Ｄ６の電流特性との交点の電流（Ｉａ）を境に逆転している。すなわち、パワー半導体モジュール１０４の回路に流れる転流電流が閾値となる電流（Ｉａ）（以下、閾値電流（Ｉａ）と称す。）より小さい場合には、スイッチング素子Ｑ１〜Ｑ６をオンにすることで、ダイオードＤ１〜Ｄ６の順方向より当該スイッチング素子Ｑ１〜Ｑ６の逆方向の方に、多くの転流電流が流れる。一方、パワー半導体モジュール１０４の回路に流れる転流電流が閾値電流（Ｉａ）より大きい場合には、スイッチング素子Ｑ１〜Ｑ６をオンにしたとしても、多くの転流電流がダイオードＤ１〜Ｄ６の順方向側に流れる。そのため、パワー半導体モジュール１０４の回路に流れる転流電流が閾値電流（Ｉａ）より大きい場合に、転流電流を流すために、スイッチング素子Ｑ１〜Ｑ６をオンにしたとしても、オンすることで流れる転流電流は少なく、スイッチング動作をする分、スイッチング損失が発生してしまう。
【００３５】
本例は、以下に詳述するように、パワー半導体モジュール１０４の回路に流れる転流電流の大きさに応じて、スイッチング素子Ｑ１〜Ｑ６のオン及びオフを制御し、転流電流をダイオードＤ１〜Ｄ６の順方向及びスイッチング素子Ｑ１〜Ｑ６の逆方向に流すこと、又は、転流電流をダイオードＤ１〜Ｄ６の順方向に流すことを、切り換えるよう制御する。
【００３６】
なお、電流特性の交点を示す閾値電流（Ｉａ）は、スイッチング素子Ｑ１〜Ｑ６及びダイオードＤ１〜Ｄ６の物性上、定まる電流値である。例えば、スイッチング素子Ｑ１〜Ｑ６及びダイオードＤ１〜Ｄ６にワイドハンドギャップ半導体を用いた場合には、他の半導体を用いた場合に比べて、閾値電流（Ｉａ）を大きくとることができるため、大きな転流電流をスイッチング素子Ｑ１〜Ｑ６に流すことができ、ダイオードＤ１〜Ｄ６側の損失を抑制することができる。
【００３７】
また、図８に示す、電圧に対するスイッチング素子Ｑ１〜Ｑ６の逆方向電流特性及び電圧に対するダイオードＤ１〜Ｄ６の順方向電流特性は、温度依存性を有している。ここで、図８の双方の特性の交点が閾値電流（Ｉａ）となる時の温度を基準温度とする。そして、パワー半導体モジュール１０４の温度が、基準温度より高い場合の、スイッチング素子Ｑ１〜Ｑ６の特性及びダイオードＤ１〜Ｄ６の特性を図９に示す。図９は、電圧に対するスイッチング素子Ｑ１〜Ｑ６の逆方向の電流特性及び電圧に対するダイオードＤ１〜Ｄ６の順方向の電流特性を示す。
【００３８】
図９に示すように、それぞれの電流特性は、パワー半導体モジュール１０４の温度が基準温度より高くなることにより変化し、双方の特性の交点に相当する閾値電流（Ｉｂ）は、閾値電流（Ｉａ）より小さくなる。
【００３９】
本例は、以下に詳述するように、ダイオード２０２及びダイオード２０４により検出される、スイッチング素子Ｑ１〜Ｑ６及びダイオードＤ１〜Ｄ６の検出温度に応じて、転流期間における、スイッチング素子Ｑ１〜Ｑ６のオン及びオフを切り換えるための基準値となる閾値電流を設定する。
【００４０】
以下、本例において、制御回路１０８による制御の内容を説明する。図１０ａ及び図１０ｂは、転流期間における、時間に対するダイオードＤ１〜Ｄ６の順方向電流の特性及び時間に対するスイッチング素子Ｑ１〜Ｑ６の逆方向電流特性を示す。
【００４１】
まず、制御回路１０８は、ＥＣＵ１０７からの指令値に基づいて、駆動回路１０９を介して、各スイッチング素子Ｑ１〜Ｑ６を周期的にオン及びオフさせて、バッテリ１０１の直流電力を交流電力に変換し、インバータ１１１からモータ１０３に対して、図５に示す三相交流を流す。図１０ａ及び図１０ｂに示すように、制御回路１０８からスイッチング素子Ｑ１〜Ｑ６へのゲート信号には、電源線Ｐと電源線Ｎとの間の短絡を防ぐために、ハイサイドのスイッチング素子Ｑ１、Ｑ３、Ｑ５とローサイドのスイッチング素子Ｑ２、Ｑ４、Ｑ６とを共にオフにするデッドタイムが設けられている。デッドタイムの間には、ダイオードＤ１〜Ｄ６又はスイッチング素子Ｑ１〜Ｑ６の寄生ダイオードに電流が流れる。
【００４２】
制御回路１０８は、ダイオード２０２及びダイオード２０４から、各スイッチング素子Ｑ１〜Ｑ６の温度及びダイオードＤ１〜Ｄ６の温度を検出し、各パワー半導体モジュール１０４の温度を検出する。なお、スイッチング素子Ｑ１〜Ｑ６の検出温度とダイオードＤ１〜Ｄ６の検出温度が異なる場合は、平均温度をパワー半導体モジュールの検出温度としてもよい。
【００４３】
次に、制御回路１０８は、メモリ１１２のデータを参照し、パワー半導体モジュール１０４の検出温度に対する閾値電流を設定する。メモリ１１２には、スイッチング素子Ｑ１〜Ｑ６の逆方向電流特性及びダイオードＤ１〜Ｄ６の順方向電流特性の交点に相当する閾値電流（Ｉｂ）と、パワー半導体モジュール１０４の検出温度とを対応づけて記憶している。
【００４４】
制御回路１０８には、パワー半導体モジュール１０４の基準温度と対応づけて閾値電流（Ｉａ）が予め設定されている。そして、パワー半導体モジュール１０４の検出温度と基準温度と温度差に応じて、制御回路１０８は、メモリ１１２のデータを参照しつつ、閾値電流（Ｉａ）を閾値電流（Ｉｂ）に補正する。基準温度は予め決められた温度であり、例えば本例のインバータ１１１が搭載される車両の環境温度と対応させて設定される。閾値電流（Ｉａ）は、パワー半導体モジュール１０４に搭載されるスイッチング素子Ｑ１〜Ｑ６及びダイオードＤ１〜Ｄ６の特性と基準温度とに応じて予め設定される。
【００４５】
図９に示すように、パワー半導体モジュール１０４の検出温度が高くなる場合には、閾値電流は小さくなるため、検出温度が基準電圧より高い場合には、制御回路１０８は、閾値電流（Ｉａ）を小さくする補正を行う。一方、検出温度が基準電圧より低い場合には、制御回路１０８は、閾値電流（Ｉａ）を大きくする補正を行う。
【００４６】
そして、制御回路１０８は、電流センサ１１０により、各相の転流電流を検出して、検出された転流電流と閾値電流（Ｉａ又はＩｂ）とを比較し、比較結果に応じてスイッチング素子Ｑ１〜Ｑ６のオン及びオフを制御する。検出された転流電流が閾値電流（Ｉａ又はＩｂ）より小さい場合には、制御回路１０８は、スイッチング素子Ｑ１〜Ｑ６をオンにして、転流電流をスイッチング素子Ｑ１〜Ｑ６の逆方向及びダイオードＤ１〜Ｄ６の順方向に流す。一方、検出された転送電流が閾値電流（Ｉａ又はＩｂ）より大きい場合には、制御回路１０８は、スイッチング素子Ｑ１〜Ｑ６をオフにして、転流電流をダイオードＤ１〜Ｄ６の順方向に流す。
【００４７】
図１０ａに示すように、デッドタイムにおいて、ダイオードの順方向に流れる電流、言い換えると、パワー半導体モジュール１０４の回路内を流れる転流電流が、閾値電流（Ｉａ又はＩｂ）より小さい場合には、デッドタイムの後に、スイッチング素子Ｑ１〜Ｑ６をオンにすることで、ダイオードＤ１〜Ｄ６の順方向に流れていた転流電流がスイッチング素子Ｑ１〜Ｑ６の逆方向にも流れる。そして、ダイオードＤ１〜Ｄ６の順方向の電流が小さくなり、ダイオードＤ１〜Ｄ６の損失が小さくなる。
【００４８】
一方、図１０ｂに示すように、デッドタイムにおいて、ダイオードの順方向に流れる転流電流が閾値電流（Ｉａ又はＩｂ）より大きい場合には、スイッチング素子Ｑ１〜Ｑ６をオンにしたとしても、転流電流の大半がダイオードの順方向に流れる。そのため、デッドタイムの後、スイッチング素子Ｑ１〜Ｑ６のオフ状態を維持して、ダイオードＤ１〜Ｄ６の順方向に流れていた転流電流は、そのままダイオードＤ１〜Ｄ６の順方向に流す。そのため、デッドタイムの後に、スイッチング素子Ｑ１〜Ｑ６を無駄にオンに制御せず、スイッチング損失を抑制することができる。
【００４９】
上記のように、本例は、パワー半導体モジュール１０４に流れる電流と閾値電流（Ｉａ又はＩｂ）とを比較する。そして、パワー半導体モジュール１０４に流れる電流が閾値電流（Ｉａ又はＩｂ）より小さい場合には、スイッチング素子Ｑ１〜Ｑ６をオンにして、ダイオードＤ１〜Ｄ６の順方向及びスイッチング素子Ｑ１〜Ｑ６の逆方向を通電させ、転流電流を流す。また、パワー半導体モジュール１０４に流れる電流が閾値電流（Ｉａ又はＩｂ）より大きい場合には、スイッチング素子Ｑ１〜Ｑ６をオフにして、ダイオードの順方向Ｄ１〜Ｄ６を通電させ、転流電流を流す。
【００５０】
これにより、スイッチング素子Ｑ１〜Ｑ６をオンにしても転流電流がスイッチング素子Ｑ１〜Ｑ６の逆方向に流れ難くなる大電流領域において、スイッチング素子Ｑ１〜Ｑ６をオフにするため、スイッチング素子Ｑ１〜Ｑ６の損失を抑制することができる。
【００５１】
また本例は、ダイオード２０２及びダイオード２０４により、パワー半導体モジュール１０４の温度を検出し、制御部１０８により検出温度に応じて、閾値電流（Ｉｂ）を設定する。これにより、スイッチング素子Ｑ１〜Ｑ６及びダイオードＤ１〜Ｄ６の温度変化により、電流特性が変化した場合でも、変化に追随して最適な閾値電流（Ｉｂ）を設定することができるため、スイッチング素子Ｑ１〜Ｑ６の損失をより効率的に抑制することができる。
【００５２】
また本例は、複数のパワー半導体モジュール１０４のうち、一のパワー半導体モジュール１０４に流れる電流が閾値電流（Ｉａ又はＩｂ）より小さい場合には、当該一のパワー半導体モジュール１０４のスイッチング素子Ｑ１〜Ｑ６をオンにし、一のパワー半導体モジュール１０４に流れる電流が閾値電流（Ｉａ又はＩｂ）より大きい場合には、当該一のパワー半導体モジュール１０４のスイッチング素子Ｑ１〜Ｑ６をオフにする。これにより、転流期間において、一のパワー半導体モジュール１０４に含まれるスイッチング素子Ｑ１〜Ｑ６のオン及びオフの制御は、他のパワー半導体モジュール１０４に流れる転流電流に応じて行われないため、スイッチング素子Ｑ１〜Ｑ６の損失をより効率的に抑制することができる。
【００５３】
また本例は、スイッチング素子Ｑ１〜Ｑ６又はダイオードＤ１〜Ｄ６をワイドギャップ半導体により形成する。これにより、より多くの転流電流を通電することができる。
【００５４】
また本例は、インバータ１１１を車両に搭載する。これにより、車両の効率に影響する低電流領域では、スイッチング素子Ｑ１〜Ｑ６をオンにして、スイッチング素子Ｑ１〜Ｑ６の逆方向に転流電流を導通させ、車両の使用環境において、頻度の少ない高電流領域では、スイッチング素子Ｑ１〜Ｑ６をオフにする制御をすることができるため、インバータ１１１の効率を向上させることができる。
【００５５】
なお本例は、電流センサ１１０により転流電流を検出するが、ＥＣＵ１０７から制御部１０８への指令値に基づき、転流電流を算出してもよい。各スイッチング素子Ｑ１〜Ｑ６のスイッチング動作は、ＥＣＵ１０７からの指令値に基づいて行われ、転流電流は、各スイッチング素子Ｑ１〜Ｑ６のスイッチング周期及びオン及びオフのデューティー比等により予め決まる。そのため、制御部１０８は、電流センサ１１０を用いずに、当該指令値に基づいて転流電流を算出すればよい。
【００５６】
なお本例において、パワー半導体モジュール１０４にＭＯＳＦＥＴ２０１及びダイオード２０３をそれぞれ１つずつ搭載するが、それぞれ複数であってもよい。
【００５７】
また本例において、ダイオード２０２及びダイオード２０４を用いて、パワー半導体モジュール１０４の温度を検出し、検出温度に応じて閾値電流（Ｉａ又はＩｂ）を補正するが、必ずしも検出温度に応じて閾値電流（Ｉａ又はＩｂ）を補正する必要はない。
【００５８】
なお本例において、制御回路１０８は、パワー半導体モジュール１０４の検出温度が高くなるにつれて閾値電流（Ｉａ）を小さく、パワー半導体モジュール１０４の検出温度が低くなるにつれて閾値電流（Ｉａ）を大きくするよう、閾値電流（Ｉａ）を補正してもよい。
【００５９】
上記パワー半導体モジュール１０４は本発明に係る「変換回路」に相当し、上記ダイオード２０２及びダイオード２０４は本発明に係る「温度検出手段」に相当し、上記制御回路１０８は本発明に係る「制御手段」に相当し、上記メモリ１１２は本発明に係る「記憶手段」に相当し、上記電流センサ１１０は本発明に係る「電流検出手段」に相当する。
【００６０】
《第２実施形態》
図１１は、発明の他の実施形態に係る電力変換装置に含まれるスイッチング素子及びダイオードの特性を示すグラフである。本例では上述した第１実施形態に対して、設定される閾値電流が異なる。これ以外の構成は上述した第１実施形態と同じであるため、その記載を適宜、援用する。
【００６１】
図１１において、実線は損失に対するスイッチング素子及びダイオードの電流特性をそれぞれ示し、破線は電圧に対するスイッチング素子及びダイオードの電流特性をそれぞれ示す。
【００６２】
図１１に示すように、スイッチング素子Ｑ１〜Ｑ６の逆方向とダイオードＤ１〜Ｄ６の順方向にそれぞれ同じ大きさの電流を流す場合において、スイッチング素子Ｑ１〜Ｑ６の損失の大きさと、ダイオードＤ１〜Ｄ６の損失の大きさとの大小関係が、それぞれの特性の交点に相当する電流（Ｉｃ）（以下、閾値電流（Ｉｃ）と称す。）を境に逆転している。また閾値電流（Ｉｃ）の大きさは、閾値電流（Ｉａ）の大きさより小さくなる。
【００６３】
一般的に半導体スイッチで発生する損失には、電流通電状態で発生する損失に加えて、オン及びオフのスイッチングにより発生するスイッチング損失が加わる。そして、当該スイッチング損失とは、スイッチング素子Ｑ１〜Ｑ６を逆方向に導通及び非導通させるためにゲートをオン及びオフさせる際の損失である。
【００６４】
そのため、電圧に対するスイッチング素子Ｑ１〜Ｑ６の逆方向電流特性とダイオードＤ１〜Ｄ６の順方向電流特性との交点に相当する電流（Ｉａ）より小さい電流で、スイッチング素子Ｑ１〜Ｑ６の損失特性がダイオードＤ１〜Ｄ６の損失特性を逆転する。
【００６５】
パワー半導体モジュール１０４に流れる転流電流が閾値電流（Ｉｃ）より高く閾値電流（Ｉａ）より低い時に、第１実施形態と同様に、スイッチング素子Ｑ１〜Ｑ６をオンにした場合について、説明する。かかる場合に、第１実施形態で説明した通り、転流電流はダイオードＤ１〜Ｄ６の順方向よりもスイッチング素子Ｑ１〜Ｑ６の逆方向に多く流れる。一方で、図１１に示すように、閾値電流（Ｉａ）から閾値電流（Ｉｃ）の間の転流電流においては、スイッチング素子Ｑ１〜Ｑ６の損失がダイオードＤ１〜Ｄ６の損失より大きくなる。すなわち、損失が大きい方であるスイッチング素子Ｑ１〜Ｑ６に転流電流を流していることになるため、インバータ１１１の効率が低下する。
【００６６】
本例は、閾値電流（Ｉａ）の代わりに閾値電流（Ｉｃ）を用いて、転流期間において、転流電流と閾値電流（Ｉｃ）との比較結果に応じて、スイッチング素子Ｑ１〜Ｑ６のオン及びオフの制御を行う。
【００６７】
すなわち、制御回路１０８は、電流センサ１１０により、各相の転送電流を検出して、検出された転送電流と閾値電流（Ｉｃ）とを比較する。検出された転送電流が閾値電流（Ｉｃ）より小さい場合には、制御回路１０８は、スイッチング素子Ｑ１〜Ｑ６をオンにして、転流電流をスイッチング素子Ｑ１〜Ｑ６の逆方向及びダイオードＤ１〜Ｄ６の順方向に流す。一方、検出された転送電流が閾値電流（Ｉｃ）より大きい場合には、制御回路１０８は、スイッチング素子Ｑ１〜Ｑ６をオフにして、転流電流をダイオードＤ１〜Ｄ６の順方向に流す。
【００６８】
これにより、転流電流が閾値電流（Ｉｃ）から閾値電流（Ｉａ）の間の値である場合に、デッドタイムの後に、スイッチング素子Ｑ１〜Ｑ６をオフの状態のままにするため、スイッチング損失を抑制することができ、インバータ１１１の効率を向上させることができる。
【符号の説明】
【００６９】
１０１…バッテリ
１０２…コンデンサ
１０３…モータ
１０４…パワー半導体モジュール
１０４１…パワー半導体モジュール
１０４２…パワー半導体モジュール
１０４３…パワー半導体モジュール
１０４４…パワー半導体モジュール
１０４５…パワー半導体モジュール
１０４６…パワー半導体モジュール
１０７…電子制御ユニット（ＥＣＵ）
１０８…制御回路
１０９…駆動回路
１１０…電流センサ
１１１…インバータ
１１２…メモリ
２０１…ＭＯＳＦＥＴ
２０２…ダイオード
２０３…ダイオード
２０４…ダイオード
Ｑ１、Ｑ２、Ｑ３、Ｑ４、Ｑ５、Ｑ６…スイッチング素子
Ｄ１、Ｄ２、Ｄ３、Ｄ４、Ｄ５、Ｄ６…ダイオード
【図１】
0005707762.tif 000002
【図２】
0005707762.tif 000003
【図３】
0005707762.tif 000004
【図４】
0005707762.tif 000005
【図５】
0005707762.tif 000006
【図６】
0005707762.tif 000007
【図７】
0005707762.tif 000008
【図８】
0005707762.tif 000009
【図９】
0005707762.tif 000010
【図１０ａ】
0005707762.tif 000011
【図１０ｂ】
0005707762.tif 000012
【図１１】
0005707762.tif 000013